(57)【要約】【課題】  オーバーデンチャー等の義歯床へのアタッチメントの固定を、レジンの漏れ出しを防止した上で確実に行う。【解決手段】  アタッチメント固定用補助具１は、義歯床を患者の口腔内に装着するためのアタッチメント３０を当該義歯床に位置決めして固定するための器具である。アタッチメント固定用補助具１は、アタッチメント３０を固定的に保持する保持部１０と、保持部１０に接続され、当該保持部１０によってアタッチメント３０が保持されている側とは異なる方向に突出する突出部２０とを備える。【選択図】  図１
2020031756.tif 000002
【特許請求の範囲】
【請求項１】
義歯床を患者の口腔内に装着するためのアタッチメントを当該義歯床に位置決めして固定するためのアタッチメント固定用補助具であって、
前記アタッチメントを固定的に保持する保持部と、
前記保持部に接続され、当該保持部によってアタッチメントが保持されている側とは異なる方向に突出する突出部と、
を備えるアタッチメント固定用補助具。
【請求項２】
前記突出部の少なくとも一部は、粗面化されている請求項１に記載のアタッチメント固定用補助具。
【請求項３】
前記突出部の形状は、複数の板状の部材が組み合わせられた形状である請求項１又は２に記載のアタッチメント固定用補助具。
【請求項４】
前記突出部には、貫通孔が設けられている請求項１〜３の何れか一項に記載のアタッチメント固定用補助具。
【請求項５】
請求項１〜４の何れか一項に記載のアタッチメント固定用補助具を用いて、アタッチメントを義歯床に位置決めして固定するアタッチメント固定方法であって、
前記義歯床に、アタッチメントを固定する面に一方の開口を有する貫通孔を形成する工程と、
前記アタッチメントを前記保持部によって保持した前記アタッチメント固定用補助具を、当該アタッチメントが前記義歯床に形成された貫通孔の前記一方の開口に位置すると共に前記突出部が当該貫通孔の他方の開口に位置するように、当該貫通孔に配置する工程と、
前記アタッチメント固定用補助具が貫通孔に配置された前記義歯床を患者の口腔内に装着し、当該アタッチメント固定用補助具によって保持された前記アタッチメントを、患者の口腔内側のアタッチメントと連結させて、当該義歯床に対する当該アタッチメントの位置決めを行う工程と、
前記アタッチメントの位置決めが行われた状態で、当該貫通孔の他方の開口部分に貫通孔の外側からレジンを付着させて、前記アタッチメント固定用補助具の突出部を前記義歯床に固定する工程と、
を含むアタッチメント固定方法。
【請求項６】
前記アタッチメント固定用補助具の突出部を前記義歯床に固定する前に、前記義歯床に形成された貫通孔の他方の開口部分に溝を形成する工程を更に含む請求項５に記載のアタッチメント固定方法。
【発明の詳細な説明】
【技術分野】
【０００１】
本発明は、義歯床を患者の口腔内に装着するためのアタッチメントを当該義歯床に位置決めして固定するためのアタッチメント固定用補助具、及び当該アタッチメント固定用補助具を用いたアタッチメント固定方法に関する。
【背景技術】
【０００２】
歯を失った場合の歯科治療として、オーバーデンチャーを用いた治療が知られている（例えば、特許文献１参照）。
【先行技術文献】
【特許文献】
【０００３】
【特許文献１】特開２０１４−３０４９９号公報
【発明の概要】
【発明が解決しようとする課題】
【０００４】
オーバーデンチャーは、オーバーデンチャーに固定したアタッチメントを顎骨側の支台と連結することで口腔内に装着される。ここでの支台は、患者の天然歯又は顎骨内に埋植されたインプラント体に人工の支台歯が固定されたものである。支台には、オーバーデンチャー側のアタッチメントと連結するアタッチメントが固定的に設けられている。オーバーデンチャーを適切な位置で患者の口腔内に装着するため、オーバーデンチャー側のアタッチメントは、厳密に支台と対応する位置でオーバーデンチャーに設けられる必要がある。従来、オーバーデンチャーに対するアタッチメントの固定は以下のようにして行われていた。
【０００５】
（１）オーバーデンチャーのアタッチメントを固定する部分にアタッチメントよりも大きめの穴を形成する。（２）その穴に即時（常温）重合レジンを充填し、アタッチメントを入れる。（３）重合レジンが固まる前にオーバーデンチャーを口腔内に装着して、アタッチメントが支台と連結するように位置合わせする。（４）重合レジンが固まるまで待つ。（５）オーバーデンチャーを外す。
【０００６】
上記の作業中、（３）（４）で重合レジンが支台側に流れ出て支台と歯肉との間のアンダーカット部に入ってしまうおそれがあった。重合レジンがそこで固まると支台側とオーバーデンチャーとが重合レジンで固定され、オーバーデンチャーが支台側から外せなくなるという問題が生じる。アタッチメントを固定するための穴は口腔内に装着すると外側からは見えなくなるため、従来（３）の位置合わせの作業は盲目的に行われており、それが、重合レジンが支台側に漏れ出すおそれの原因の一つとなっていた。
【０００７】
なお、上記の問題に対して以下の対応を行うことができるが、別の不都合が生じる。例えば、重合レジンが固まる前にオーバーデンチャーを外す（上記の（５））ことが考えられる。しかしながら、この方法ではアタッチメントの位置ずれが生じる可能性がある。また、重合レジンの量を少なくすることが考えられる。しかしながら、この方法ではオーバーデンチャーに対するアタッチメントの固定が甘くなり、アタッチメントの位置ずれや脱落、不潔域発生の原因となる。
【０００８】
あるいは、支台側に漏れ出した重合レジンが、支台及び歯肉と接触することを防ぐため、支台及び歯肉をセロファン等で覆うことが考えられる。しかしながら、覆うセロファン等が厚いとアタッチメントと支台及び歯肉との間に隙間ができてしまい適切な位置合わせができない。一方で、覆うセロファン等が薄いと漏れ出した重合レジンの圧力に負けて重合レジンがアンダーカット部に入ってしまうおそれがある。また、セロファン等にしわが生じてアタッチメントと支台及び歯肉との間に隙間ができてしまい適切な位置合わせができないおそれがある。
【０００９】
本発明は、上記に鑑みてなされたものであり、オーバーデンチャー等の義歯床へのアタッチメントの固定を、レジンの漏れ出しを防止した上で確実に行うことができるアタッチメント固定用補助具及びアタッチメント固定方法を提供することを目的とする。
【課題を解決するための手段】
【００１０】
上記目的を達成するために、本発明に係るアタッチメント固定用補助具は、義歯床を患者の口腔内に装着するためのアタッチメントを当該義歯床に位置決めして固定するためのアタッチメント固定用補助具であって、アタッチメントを固定的に保持する保持部と、保持部に接続され、当該保持部によってアタッチメントが保持されている側とは異なる方向に突出する突出部と、を備える。
【００１１】
上記目的を達成するために、本発明に係るアタッチメント固定方法は、アタッチメント固定用補助具を用いて、アタッチメントを義歯床に位置決めして固定するアタッチメント固定方法であって、義歯床に、アタッチメントを固定する面に一方の開口を有する貫通孔を形成する工程と、アタッチメントを保持部によって保持したアタッチメント固定用補助具を、当該アタッチメントが義歯床に形成された貫通孔の一方の開口に位置すると共に突出部が当該貫通孔の他方の開口に位置するように、当該貫通孔に配置する工程と、アタッチメント固定用補助具が貫通孔に配置された義歯床を患者の口腔内に装着し、当該アタッチメント固定用補助具によって保持されたアタッチメントを、患者の口腔内側のアタッチメントと連結させて、当該義歯床に対する当該アタッチメントの位置決めを行う工程と、アタッチメントの位置決めが行われた状態で、当該貫通孔の他方の開口部分に貫通孔の外側からレジンを付着させて、アタッチメント固定用補助具の突出部を義歯床に固定する工程と、を含む。
【００１２】
本発明に係るアタッチメント固定用補助具及びアタッチメント固定方法によれば、義歯床の外側からレジンを付けてアタッチメント固定用補助具を介してアタッチメントを義歯床に固定することができる。このように義歯床の外側から固定を行うため、レジンを確認しながらアタッチメントを義歯床に固定することができる。従って、固定に用いるレジンの量を、支台側に漏れ出さずかつ確実に固定を行える適切な量とすることができる。また、義歯床の外側から固定を行うため、そもそもレジンが支台側に漏れ出しにくい。従って、本発明に係るアタッチメント固定用補助具及びアタッチメント固定方法によれば、オーバーデンチャー等の義歯床へのアタッチメントの固定を、レジンの漏れ出しを防止した上で確実に行うことができる。
【００１３】
突出部の少なくとも一部は、粗面化されていることとしてもよい。また、突出部の形状は、複数の板状の部材が組み合わせられた形状であることとしてもよい。また、突出部には、貫通孔が設けられていることとしてもよい。これらの構成によれば、突出部にレジンが絡みやすくなり、レジンによる突出部と義歯床との固定をより容易かつ確実に行うことができる。
【００１４】
アタッチメント固定方法は、アタッチメント固定用補助具の突出部を義歯床に固定する前に、義歯床に形成された貫通孔の他方の開口部分に溝を形成する工程を更に含むこととしてもよい。この構成によれば、義歯床に形成された貫通孔の他方の開口部分にレジンが絡みやすくなり、レジンによる突出部と義歯床との固定を、より容易かつ確実に行うことができる。
【発明の効果】
【００１５】
本発明によれば、固定に用いるレジンの量を、支台側に漏れ出さずかつ確実に固定を行える適切な量とすることができる。また、義歯床の外側から固定を行うため、そもそもレジンが支台側に漏れ出しにくい。従って、本発明によれば、オーバーデンチャー等の義歯床へのアタッチメントの固定を、レジンの漏れ出しを防止した上で確実に行うことができる。
【図面の簡単な説明】
【００１６】
【図１】本発明の実施形態に係るアタッチメント固定用補助具の斜視断面図である。
【図２】本発明の実施形態に係るアタッチメント固定用補助具が義歯床に固定される際の断面図である。
【図３】義歯床の開口部分に設けられる溝を示す図である。
【図４】アタッチメント固定用補助具の突出部の他の例を示す図である。
【発明を実施するための形態】
【００１７】
以下、図面と共に本発明に係るアタッチメント固定用補助具及びアタッチメント固定方法の実施形態について詳細に説明する。なお、図面の説明においては同一要素には同一符号を付し、重複する説明を省略する。また、図面の寸法比率は、説明のものと必ずしも一致していない。
【００１８】
図１は、本実施形態に係るアタッチメント固定用補助具１の斜視断面図である。以下、本実施形態に係るアタッチメント固定用補助具１を単に補助具１と呼ぶ。補助具１は、オーバーデンチャー又はパーシャルデンチャー等の義歯床にアタッチメントを位置決めして固定するために用いられる器具（部材）である。
【００１９】
アタッチメントは、患者の口腔内に義歯床を装着するためものである。アタッチメントは、患者の口腔内の支台側にも設けられている。義歯床側のアタッチメントと、支台側のアタッチメントとが連結することで義歯床が患者の口腔内に装着される。本実施形態では、アタッチメントは、磁力で連結を行うマグネットアタッチメント（マグネットキーパー）である。但し、アタッチメントとしては、嵌め合わせることで連結を行うロケータアタッチメント又はボールアタッチメント等であってもよく、また、それ以外のものでもよい。アタッチメントは、後述するように補助具１に保持されて、補助具１ごと義歯床に固定される。
【００２０】
以下、本実施形態に係る補助具１の構成を説明する。図１に示すように補助具１は、保持部１０と、突出部２０とを備えて構成されている。保持部１０は、義歯床へ固定されるアタッチメント３０を固定的に保持する部分である。即ち、保持部１０は、自身に対してアタッチメント３０が動かないように（自身とあわせてアタッチメント３０が動くように）アタッチメント３０を保持する。
【００２１】
例えば、保持部１０は、アタッチメント３０を収容する（嵌め込む）ことができる、一面に開口を有する箱状又は筒状のハウジングである。義歯床へ固定されるアタッチメント３０は、例えば、柱状の部材であり、一方の端面で支台側のアタッチメントと連結する。アタッチメント３０が円柱状であれば、保持部１０の形状は円筒状とし、保持部１０の内側の空洞部分の形状は円柱状とする。保持部１０の内側（空洞部分、窪み）の形状は、アタッチメント３０を嵌め込むことができるようにアタッチメント３０の形状にあわせたものである。例えば、保持部１０の内側の径の長さは、アタッチメントを保持できるようにアタッチメントの径の長さ同程度とする。アタッチメント３０は、支台側のアタッチメントと連結する側の面が外側に向くように保持部１０に嵌め込まれる。
【００２２】
保持部１０の大きさは、例えば、以下である。アタッチメント３０の直径が４．２０ｍｍであれば、保持部１０の外径の直径は５．８０ｍｍとする。また、アタッチメント３０の軸方向の長さが１．３０ｍｍであれば、保持部１０の軸方向の長さは２．１０ｍｍとする。
【００２３】
保持部１０の内側は、図１に示すように、アタッチメント３０の軸方向の全体を嵌め込むことができる深さを有していてもよい。あるいは、保持部１０の内側は、アタッチメント３０を固定的に保持できる限りにおいてアタッチメント３０の軸方向の一部のみを嵌め込むことができる深さを有していてもよい。なお、保持部１０は、必ずしも上記の形状に限られず、上記以外でアタッチメント３０を固定的に保持できる形状、構成となっていてもよい。
【００２４】
突出部２０は、保持部１０に接続され、当該保持部１０によってアタッチメントが保持されている側とは異なる方向に突出する部分である。突出部２０は、後述するように補助具１を義歯床へ固定する際に、最初に義歯床に固定される部分である。補助具１が義歯床に固定される際、義歯床には貫通孔が形成される。補助具１は、当該固定の過程で当該貫通孔に配置（収容）される。貫通孔は、アタッチメント３０を固定する面（患者の支台側の面）に一方の開口を有する。補助具１が貫通孔に配置される際、保持部１０は、当該一方の開口部分に位置するようにされる。また、突出部２０は、他方の開口の部分に位置する。突出部２０は、補助具１が貫通孔に配置される際に上記の位置に来るような形状（補助具１における位置を含む）とされる。
【００２５】
具体的には、図１に示すように、突出部２０は、保持部１０の開口が設けられた側とは逆側の端面１０ａから延びている。突出部２０は、保持部１０の軸線に対して斜め方向に延びている。図１に示すように、突出部２０は、補助具１を保持部１０の軸方向から見たときに、保持部１０の範囲から外に出ていてもよい。また、突出部２０は、保持部１０の範囲に入っていてもよい。
【００２６】
突出部２０は、例えば、複数の板状の部材が組み合わせられた形状である。図１に示すように、突出部２０は、細長い矩形の板状の形状の部材２１を有している。図１に示すように、部材２１は、長手方向の一方の端で保持部１０に接続されており、保持部１０の軸線に対して斜め方向に延びている。部材２１は、補助具１を保持部１０の軸方向から見たときに保持部１０の範囲から外に出ている。部材２１は、主面が保持部１０に向くようにされている。部材２１は、先端に行くほど保持部１０側に湾曲していてもよい。部材２１と保持部１０との間に板状の形状の部材２２が、その側面で部材２１及び保持部１０に接続されて設けられている。部材２２は、その主面が保持部１０の端面１０ａと垂直に設けられる。部材２１に接続される側の部材２２の側面は、部材２１の主面の先端から根元にわたって、部材２１の長手方向に沿って部材２１の主面に接続されている。突出方向から突出部２０を見ると、部材２１及び部材２２は、Ｔ型の形状となっている。保持部１０の径方向における部材２２の長さは、保持部１０の径方向における部材２１の長さと同程度となっている。保持部１０に接続される側の部材２２の側面は、補助具１を保持部１０の軸方向から見たときに保持部１０の範囲から外に出ている部分まで平面になっている。上記のように複数の板状の部材２１，２２は、それらの主面が互いに異なる方向を向くように設けられる。部材２２には、その主面に開口を有する、断面が円形の貫通孔２２ａが設けられている。貫通孔２２ａは、図１に示すように複数設けられていてもよい。貫通孔２２ａは、部材２２の先端寄り（図１では右側寄り）に設けられる。例えば、貫通孔２２ａの少なくとも一つは、保持部１０の軸方向から見たときに、保持部１０の範囲から外に出る位置に設けられていてもよい。
【００２７】
例えば、保持部１０の軸方向に対する突出部２０の長さは、１．５〜２．５ｍｍ程度とする。また、突出部２０に設けられる貫通孔２２ａの直径は、０．５０ｍｍとする。
【００２８】
突出部２０の表面は、粗面化されている。粗面化（粗面加工）処理は予め行ってもよいし、使用前に行ってもよい。当該処理は、例えば、サンドブラストによって行われる。また、上記以外の方法で粗面化が行われてもよい。なお、粗面化される部分は、必ずしも突出部２０全体である必要はなく、当該突出部２０の少なくとも一部（例えば、最初に義歯床に固定される部分）であってもよい。
【００２９】
保持部１０と突出部２０とは、一体形成されていてもよい。補助具１は、例えば、レジン（樹脂）製であることとしてもよい。補助具１を目立たせなくするため、補助具１の色は、義歯床４０と同様の色（例えば、患者の歯肉（粘膜）の色）としてもよい。また、３Ｄプリンタによって、患者毎に患者に応じた形状の補助具１を作成することとしてもよい。その他、例えばＭＩＭ加工のような金属を射出成形で加工する方法によって、金属製の補助具１を作成することとしてもよい。以上が、本実施形態に係る補助具１の構成である。
【００３０】
続いて、本実施形態に係る補助具１を用いて、アタッチメント３０を義歯床に位置決めして固定するアタッチメント固定方法を説明する。図２にアタッチメント３０を義歯床４０に位置決めして固定する際のアタッチメント３０及び義歯床４０等の断面図を模式的に示す。当該アタッチメント固定方法は、歯科医師等によって行われる。
【００３１】
まず、患者毎にオーバーデンチャー又はパーシャルデンチャー等の義歯床４０を有する義歯を作製する。義歯の作製は従来と同様に行われる。例えば、選択的加圧印象法を用いた印象採得（型取り）を行って義歯を作製する。また、患者の口腔内に、作製する義歯に対応する支台５０が設けられる。支台５０には、義歯床４０を支台に装着（固定）するためのアタッチメント５１が位置決めされて設けられる。なお、アタッチメント５１を含む支台５０は、従来と同様に患者に設けられる。
【００３２】
続いて、作製した義歯床４０に貫通孔４０ａを形成する。貫通孔４０ａは、義歯床４０のアタッチメント３０を固定する面、即ち、支台５０側の面に一方の開口を有する。貫通孔４０ａは、義歯床４０の外側の面、例えば、患者の舌側の面に他方の開口を有する。なお、他方の開口が設けられる面は、患者の舌側ではなく、患者の唇側の面であってもよい。貫通孔４０ａは、補助具１を配置できる程度の大きさとする。義歯床４０への貫通孔４０ａの形成は、従来の義歯床４０の加工と同様に、例えば、義歯床加工用のドリルが用いられて行われる。
【００３３】
また、貫通孔４０ａを形成する際、図３に示すように義歯床４０の外側にある貫通孔４０ａの開口部分に溝４０ｂを形成することとしてもよい。なお、図３は、義歯床４０の外側にある貫通孔４０ａの開口を外側から見た（図２では右斜め上から見た）図である。溝４０ｂは、貫通孔４０ａの開口部分の外縁から、義歯床４０の外側の面に開口部分の外側に向かうように形成される。溝４０ｂは、複数あってもよい。
【００３４】
続いて、図２に示すように、アタッチメント３０を保持部１０によって保持した補助具１を貫通孔４０ａに配置する。この際、アタッチメント３０が貫通孔４０ａの一方の開口（支台５０側の面の開口）に位置すると共に突出部２０が当該貫通孔４０ａの他方の開口（患者の舌側の面の開口）に位置するようにする。なお、突出部２０が当該貫通孔４０ａの他方の開口に位置するとは、後述するように突出部２０と当該他方の開口部分とがレジンで固定できる程度の距離にあることをいう。貫通孔４０ａ、特に、支台５０側の面の開口は、補助具１の形状よりも大きめに形成される。これによって、貫通孔４０ａに配置された補助具１が、貫通孔４０ａ内で位置調整ができるようになる。なお、突出部２０の先端は、図２に示すように当該他方の開口から出ていてもよく、出ていなくてもよい。
【００３５】
続いて、補助具１が貫通孔４０ａに配置された義歯床４０を患者の口腔内に装着し、当該補助具１によって保持されたアタッチメント３０を、患者の口腔内側のアタッチメント５１と連結させて、義歯床４０に対するアタッチメント３０の位置決めを行う。義歯床４０は、患者の歯肉等の形状に合わせて作製されているため、患者の口腔内に装着されると患者の歯肉等に対して密着される。その状態で、補助具１によって保持されたアタッチメント３０が患者の口腔内側のアタッチメント５１と連結させる位置となるよう、義歯床４０の貫通孔４０ａ内で補助具１の位置調整を行う。なお、義歯床４０の患者の口腔内への装着は、補助具１を収容した状態で行ってもよいし、先に補助具１を患者の口腔内側のアタッチメント５１と連結させておき、補助具１の収容とあわせて行ってもよい。
【００３６】
続いて、アタッチメント３０の位置決めが行われた状態で、義歯床４０の貫通孔４０ａの患者の舌側の面の開口部分に貫通孔４０ａの外側からレジン６０を付着させて、補助具１の突出部２０を義歯床４０に固定する。固定に用いられるレジン６０としては、即時重合レジンが用いられる。義歯床４０の外側にある貫通孔４０ａの開口部分に溝４０ｂを形成した場合には、溝４０ｂにレジン６０が絡むようにする。
【００３７】
レジン６０が固まって突出部２０と義歯床４０とが接続されたら、補助具１ごと義歯床４０を患者から取り外す。取り外した後、貫通孔４０ａの隙間部分にレジン６０を流し込み、補助具１と義歯床４０とを確実に固定させる。この際のレジン６０の流し込みは、義歯床４０の患者に装着される側から行われてもよい。レジン６０が全て固まったら、貫通孔４０ａからはみ出た部分のレジン６０を全て削り取る。補助具１の突出部２０の先端部分が貫通孔４０ａからはみ出ている場合には、その部分も削り取る。以上が、本実施形態に係るアタッチメント固定方法である。
【００３８】
本実施形態によれば、義歯床４０の外側からレジン６０を付けて補助具１を介してアタッチメント３０を義歯床４０に固定することができる。このように義歯床４０の外側から最初の固定を行うため、レジン６０を確認しながらアタッチメント３０を義歯床４０に固定することができる。従って、固定に用いるレジン６０の量を、支台側に漏れ出さずかつ確実に固定を行える適切な量とすることができる。また、義歯床４０の外側から固定を行うため、そもそもレジン６０が支台側に漏れ出しにくい。従って、本実施形態によれば、オーバーデンチャー等の義歯床４０へのアタッチメント３０の固定を、レジン６０の漏れ出しを防止した上で確実に行うことができる。
【００３９】
なお、突出部２０と義歯床４０とを固定した後の貫通孔４０ａの隙間部分の固定は、上述したように患者から義歯床４０を外した状態で行うことができる。従って、義歯床４０の患者に装着される側からレジン６０を流し込むことができ、患者の負担を要さずに補助具１全体と義歯床４０とを確実に固定させることができる。
【００４０】
また、本実施形態のように突出部２０は、粗面化されていてもよい。粗面化されていることで突出部２０にレジン６０が絡みやすくなり、レジン６０による突出部２０と義歯床４０との固定をより容易かつ確実に行うことができる。但し、粗面化は、必ず行われる必要はない。
【００４１】
また、本実施形態のように突出部２０は、複数の板状の部材が組み合わせられた形状であってもよい。このような形状を取ることで突出部２０にレジン６０が絡みやすくなり、レジン６０による突出部２０と義歯床４０との固定をより容易かつ確実に行うことができる。但し、このような形状を取る必要はなく、義歯床４０の外側からレジン６０で固定可能な形状であれば、どのような形状であってもよい。
【００４２】
また、本実施形態のように突出部２０には、貫通孔が設けられていてもよい。貫通孔が設けられていることで突出部２０にレジン６０が絡みやすくなり、レジン６０による突出部２０と義歯床４０との固定をより容易かつ確実に行うことができる。但し、必ずしも貫通孔は設けられている必要はない。
【００４３】
また、突出部２０としては図１及び図２に示す形状のもの以外にも、例えば、図４に示す形状のものも用いることができる。図４（ａ）のように先端がＨ型になっており、その形状が突出方向に延びているものを突出部２０として用いてもよい。あるいは、図４（ｂ）のように先端が井桁状になっており、その形状が突出方向に延びているものを突出部２０として用いてもよい。あるいは、図４（ｃ）のように先端が、中心から複数の弧が広がる渦巻状の形状になっており、その形状が突出方向に延びているものを突出部２０として用いてもよい。何れの形状のものを突出部２０としても用いても、突出部２０と義歯床４０との固定をより容易かつ確実に行うことができる。
【００４４】
また、本実施形態のように義歯床４０に形成された貫通孔４０ａの開口部分に溝４０ｂを形成することとしてもよい。この構成によれば、溝４０ｂにレジン６０が入ることで義歯床４０に形成された貫通孔４０ａの開口部分にレジン６０が絡みやすくなり、レジン６０による突出部２０と義歯床４０との固定を、より容易かつ確実に行うことができる。
【００４５】
なお、従来の義歯床にアタッチメントを固定する際にも、義歯床の外側の面に開口を有する孔を形成することがあった。しかしながら、この孔は、固定時に内側から入れられたレジンのうち余剰なレジンを逃がすと共に圧を抜くための遁出孔である。即ち、従来の孔は、本実施形態のような外側からレジン６０を付着させて、アタッチメントと義歯床とを固定するためのものではなかった。即ち、従来の孔は、義歯床へのアタッチメントの固定を、レジンの漏れ出しを防止した上で確実に行わせるものではない。
【符号の説明】
【００４６】
１…アタッチメント固定用補助具、１０…保持部、２０…突出部、３０…アタッチメント、４０…義歯床、４０ａ…貫通孔、４０ｂ…溝、５０…支台、５１…アタッチメント、６０…レジン。
【図１】
2020031756.tif 000003
【図２】
2020031756.tif 000004
【図３】
2020031756.tif 000005
【図４】
2020031756.tif 000006